(57)【要約】【課題】作業性が向上し、所定の放熱特性を有する可変コンダクタンスヒートパイプを得ることができる可変コンダクタンスヒートパイプの製造方法を得る。【解決手段】本発明の可変コンダクタンスヒートパイプの製造方法は、密閉容器内に作動媒体６および不凝縮性ガス７を封入した可変コンダクタンスヒートパイプの製造方法において、容器１内に不凝縮性ガス７を発生する不凝縮性ガス発生体３を挿入する工程と、容器１内に作動媒体６を注入する工程と、不凝縮性ガス発生体３および作動媒体６を包含した容器を封止する工程とを有するものである。【選択図】図１
2009138969.tif 000002
【特許請求の範囲】
【請求項１】
密閉容器内に作動媒体および不凝縮性ガスを封入した可変コンダクタンスヒートパイプの製造方法において、
容器内に前記不凝縮性ガスを発生する不凝縮性ガス発生体を挿入する工程と、
前記容器内に前記作動媒体を注入する工程と、
前記不凝縮性ガス発生体および前記作動媒体を包含した前記容器を封止する工程とを有することを特徴とする可変コンダクタンスヒートパイプの製造方法。
【請求項２】
前記不凝縮性ガス発生体は、前記作動媒体と化学反応することを特徴とする請求項１に記載の可変コンダクタンスヒートパイプの製造方法。
【請求項３】
前記不凝縮性ガス発生体は、内部に前記不凝縮性ガスを包含する皮膜を有することを特徴とする請求項１に記載の可変コンダクタンスヒートパイプの製造方法。
【請求項４】
前記皮膜は、前記作動媒体が固化したものであることを特徴とする請求項３に記載の可変コンダクタンスヒートパイプの製造方法。
【発明の詳細な説明】
【技術分野】
【０００１】
この発明は、密閉容器内に作動媒体および不凝縮性ガスを封入した可変コンダクタンスヒートパイプの製造方法に関する。
【背景技術】
【０００２】
従来の可変コンダクタンスヒートパイプの製造方法においては、作動媒体（蒸気）と不凝縮性ガスとの分圧比を一定に保った密閉系のチャンバー中で、ヒートパイプへの作動媒体の圧入と該ヒートパイプの密閉を順次行っていた（例えば、特許文献１参照）。
【０００３】
【特許文献１】特開昭５０−５５９５４号公報（第１頁、図１）
【発明の開示】
【発明が解決しようとする課題】
【０００４】
このような可変コンダクタンスヒートパイプの製造方法においては、チャンバー内にヒートパイプを装着後、チャンバー内を所定の不凝縮性ガスおよび作動媒体で満たすことが必要であり、また、作業者がチャンバー内での作業をすることが難しく、作業時間が長く、作業性が著しく悪いという問題があった。また、可変コンダクタンスヒートパイプは作動媒体の量と不凝縮性ガスの量により、放熱特性（特に動作する温度）が大きく変わるが、上記手法では上手くその量を管理できないため、放熱特性のバラツキが大きいという問題があった。
【０００５】
この発明は、上記のような問題点を解決するためになされたものであり、作業性が向上し、所定の放熱特性を有する可変コンダクタンスヒートパイプを得ることができる可変コンダクタンスヒートパイプの製造方法を提供することを目的としている。
【課題を解決するための手段】
【０００６】
この発明に係る可変コンダクタンスヒートパイプの製造方法は、密閉容器内に作動媒体および不凝縮性ガスを封入した可変コンダクタンスヒートパイプの製造方法において、容器内に不凝縮性ガスを発生する不凝縮性ガス発生体を挿入する工程と、容器内に作動媒体を注入する工程と、不凝縮性ガス発生体および作動媒体を包含した容器を封止する工程とを有するものである。
【発明の効果】
【０００７】
この発明に係る可変コンダクタンスヒートパイプの製造方法によれば、作業性が向上し、所定の放熱特性を有する可変コンダクタンスヒートパイプを得ることができる。
【発明を実施するための最良の形態】
【０００８】
実施の形態１．
図１は、この発明の実施の形態１による可変コンダクタンスヒートパイプの製造装置を模式的に示す断面図である。図において、同一の符号を付したものは、同一またはこれに相当するものであり、このことは、明細書の全文において共通することである。
【０００９】
図１に示すように、可変コンダクタンスヒートパイプを構成する容器１の任意の位置に開口２が設けられ、この開口２には、容器１内を真空排気するための真空排気ポート４と作動媒体６を注入する作動媒体注入ポート５とが取付けられている。なお、真空排気ポート４と作動媒体注入ポート５とはそれぞれ異なる開口に取付けられても良い。
【００１０】
密閉容器内に作動媒体６および不凝縮性ガス７を封入した可変コンダクタンスヒートパイプの製造方法においては、まず、開口２より容器１内に不凝縮ガス発生体３を挿入する。次に、開口２より真空排気ポート４から容器１内に残存する気体（または液体）を排気し、容器１内を真空にする。さらに、作動媒体注入ポート５より作動媒体６を注入した後、上記開口２を封止することにより、ヒートパイプを製造することができる。開口２の封止後、不凝縮性ガス発生体３から不凝縮性ガス７が発生し、不凝縮性ガス７の発生が停止すると、所定の不凝縮性ガス７および作動媒体６が封入された可変コンダクタンスヒートパイプになる。
【００１１】
作動媒体６としては、水、アルコール、アンモニア、水銀、ナトリウムなどが用いられる。また、不凝縮性ガス７としては、ヘリウム、ネオン、アルゴン、窒素、水素などが用いられる。可変コンダクタンスヒートパイプを構成する容器１としては、銅などの金属が用いられる。
【００１２】
なお、不凝縮性ガス発生体３は、開口２ではなく、真空排気ポート４用に設けられた開口、作動媒体注入ポート５用に設けられた開口または不凝縮性ガス発生体３挿入専用の開口２から挿入しても良い。また、例えば、容器１内壁にコーティング、塗布、または固着などして、容器１内部に予め取付けていても良い。さらに、容器１内への内装物（例えば、毛細管現象を発生する繊維、金網、焼結金属や内挿管、板など）に取付けても良い。
【００１３】
このように、容器１の中に不凝縮性ガス発生体３を挿入することにより、通常のヒートパイプ（不凝縮性ガス７を混入させないヒートパイプ）と同様の方法で可変コンダクタンスヒートパイプを製造することができ、作業性が向上する。また、作動媒体６を封入する前の真空排気が十分に実施できるため、残留ガスによるヒートパイプの特性のバラツキを低減することができる。
【００１４】
さらに、不凝縮性ガス発生体３から発生する不凝縮性ガス７の量を予め定量化・規定することができるため、所定量の不凝縮性ガス７を容易に封入することができる。また、不凝縮性ガス７と作動媒体６との相互依存性（不凝縮性ガス７の圧力と作動媒体６の蒸気圧力による相互依存性）がないため、作動媒体６を独立に容器１内に注入することができ、所定量の作動媒体６を容易に封入することができる。したがって、可変コンダクタンスヒートパイプの放熱特性バラツキが小さくなり、所定の放熱特性を有する可変コンダクタンスヒートパイプを得ることができ、品質が向上する。
【００１５】
実施の形態２．
不凝縮性ガス発生体３を作動媒体６と化学反応する物質として、不凝縮性ガス発生体３と作動媒体６との化学反応により不凝縮性ガス７を発生させてもよい。不凝縮性ガス発生体３と作動媒体６との化学反応により不凝縮性ガス７を発生させる場合、化学反応式と不凝縮性ガス発生体３の重量とにより、不凝縮性ガス７の発生量が容易に推測できる。そのため、不凝縮性ガス発生体３の重量を調整することにより、不凝縮性ガス７の量を容易に調節することができ、可変コンダクタンスヒートパイプの動作設定温度を容易に調節することができる。
【００１６】
例えば、作動媒体６を水とし、不凝縮性ガス発生体３をアルミニウム、マグネシウムなどの金属として、不凝縮性ガス発生体３の重量を調整すると、不凝縮性ガス７である水素の量を容易に調整することができる。また、作動媒体６をアンモニアとして、不凝縮性ガス発生体３を銅などの金属とした場合も、不凝縮性ガス発生体３の重量を調整すると、不凝縮性ガス７である水素の量を容易に調整することができる。
【００１７】
なお、化学反応促進剤を別途挿入するか、または作動媒体６の注入時に挿入して、化学反応促進剤と不凝縮性ガス発生体３とを化学反応させて不凝縮性ガス７を生成しても良い。
【００１８】
実施の形態３．
図２および図３は、この発明の実施の形態３による可変コンダクタンスヒートパイプの製造方法で用いられる不凝縮性ガス発生体を示す断面図である。
この発明の実施の形態３による可変コンダクタンスヒートパイプの製造方法で用いられる不凝縮性ガス発生体３は、内部に不凝縮性ガス７を包含する皮膜９を有する。図２に示す不凝縮性ガス発生体３は、カプセル状の皮膜９で不凝縮性ガス７を覆ったものであり、図３に示す不凝縮性ガス発生体３は、皮膜９の内部に不凝縮性ガス７を分散内包したものである。
【００１９】
皮膜９は、作動媒体６に溶解して破断されるものでもよいし、実際の使用温度範囲にて融解するものまたは製造上の工程にて容器１を昇温・融解させることにより破断されるものでもよい。例えば、皮膜９として氷を用いてもよい。また、皮膜９は、作動媒体６または化学反応促進剤と化学反応して破断されるものでもよい。また、皮膜９は、内在する容器１の部分を外部から機械的にまたは熱膨張を利用して変形させることにより構造的に破断されるものでもよい。この場合、皮膜９として銅のような金属を用いることもできる。
【００２０】
上記のような構成によれば、皮膜９の材料に係わらず不凝縮性ガス７の選択が可能であり、腐食性、引火性、爆発性、その他有害性の無いアルゴンやネオンなどの不活性ガスや窒素などを不凝縮性ガス７として使用することができる。
【００２１】
実施の形態４．
上記実施の形態３において、皮膜９を作動媒体６の固化したものとしてもよい。皮膜９を作動媒体６の固化したものとした場合は、作動媒体６と不凝縮性ガス７とを同時に封入することができ、作業性がより一層向上する。また、容器１内に、作動媒体６および不凝縮性ガス７のみ封入されるため、残留物が内在せず、可変コンダクタンスヒートパイプを長寿命化できるとともに、品質を向上できる。
例えば、作動媒体６を水として、皮膜９を氷としたり、作動媒体６をナトリウムの液体として、皮膜９をナトリウムの固体としたりすればよい。
【図面の簡単な説明】
【００２２】
【図１】この発明の実施の形態１による可変コンダクタンスヒートパイプの製造装置を模式的に示す断面図である。
【図２】この発明の実施の形態３による可変コンダクタンスヒートパイプの製造方法で用いられる不凝縮性ガス発生体を示す断面図である。
【図３】この発明の実施の形態３による可変コンダクタンスヒートパイプの製造方法で用いられる不凝縮性ガス発生体を示す断面図である。
【符号の説明】
【００２３】
１  容器、２  開口、３  不凝縮性ガス発生体、４  真空排気ポート、５  作動媒体注入ポート、６  作動媒体、７  不凝縮性ガス、９  皮膜。
【図１】
2009138969.tif 000003
【図２】
2009138969.tif 000004
【図３】
2009138969.tif 000005